(57)【要約】【課題】  ロープ自体が軽く且つ柔軟であって、ロープのストランド中に砂粒などが侵入することがなく、かかる砂粒により繊維が破断することがなく、小さい引っ張り荷重で不用意に切断されるようなことのない、ロープを提供することを目的とする。【解決手段】  複数の糸条を引き揃え、撚り合わせ又は組み合わせてなる芯材２の周囲に、たて糸５とよこ糸６とを織成してなる筒状織物からなるフィルター材３を被覆してなるものである。【効果】  フィルター材３が水中の小石、砂粒、泥などをろ過し、これらの砂粒などがロープ１のストランド４中に入り込むことがなく、これらの砂粒などが繊維を切断したりして、さほど大きくない荷重によって不用意にロープが切断されるような事態を防止する。【選択図】          図１
2016033269.tif 000002
【特許請求の範囲】
【請求項１】
複数の糸条を引き揃え、撚り合わせ又は組み合わせてなる芯材（２）の周囲に、たて糸（５）とよこ糸（６）とを織成してなる筒状織物からなるフィルター材（３）を被覆してなることを特徴とする、ロープ
【請求項２】
前記フィルター材（３）の外側に、筒状織物又はブレイドからなる保護材を被覆したことを特徴とする、請求項１に記載のロープ
【請求項３】
前記芯材（２）の外周に、環状織機によりフィルター材（３）を筒状に織成してなることを特徴とする、請求項１に記載のロープ
【請求項４】
前記筒状織物の総繊度が、当該筒状織物１平方インチ当たり、１３００００〜２０００００デシテックス相当であることを特徴とする、請求項１に記載のロープ
【発明の詳細な説明】
【技術分野】
【０００１】
本発明はロープに関するものであって、特に船舶を岸壁に係留したり、海上構造物を海底に係留したりするための、主として海洋において使用するためのロープに関するものである。
【背景技術】
【０００２】
従来からこの種の係留ロープが使用されているが、その多くは特開２００２−２６４８８４号公報（特許文献１）に示されるように、繊維製の糸条を単純に撚り合わせ又は組み合わせたものであった。
【０００３】
しかしながらこのようなロープでは、このロープを水中において使用していると、その使用の過程においてロープの内部又はロープを構成するストランド中に、水中に漂っていた小石、砂、泥などが侵入する。
【０００４】
かかる状態でロープに引っ張り荷重が繰り返しかかると、ロープを構成する繊維と砂粒などが擦れ合い、この繊維が強い摩耗を受けて強度が低下し、最悪の場合にはさほど大きくない荷重でロープが切断してしまうと言うようなことがあった。
【０００５】
特に前述のように海洋において使用するロープにおいては、ロープに高い引張強度が要求されるために超高分子量ポリエチレンが使用されているが、当該ポリエチレン繊維の間に砂粒などが侵入すると、繊維間の摩擦により傷付いてしまうことがあり、大きな強度低下が生じるのである。
【０００６】
また特開２０１４−３１６０２号公報（特許文献２）に示されるように、ロープの外側に不透過性の被覆層を設けることにより、繊維間に砂粒などが侵入するのを防止することも考えられるが、かかる構造では被覆層が厚くロープが剛直になると共に、繊維間に水が侵入しないのでロープ全体の比重の調整が困難となる。
【先行技術文献】
【特許文献】
【０００７】
【特許文献１】特開２００２−２６４８８４号公報
【特許文献２】特開２０１４−３１６０２号公報
【発明の概要】
【発明が解決しようとする課題】
【０００８】
本発明はかかる事情に鑑みなされたものであって、ロープ自体が軽く且つ柔軟であって、ロープのストランド中に砂粒などが侵入することがなく、かかる砂粒により繊維が破断することがなく、小さい引っ張り荷重で不用意に切断されるようなことのない、ロープを提供することを目的とするものである。
【課題を解決するための手段】
【０００９】
而して本発明は、複数の糸条を引き揃え、撚り合わせ又は組み合わせてなる芯材の周囲に、たて糸とよこ糸とを織成してなる筒状織物からなるフィルター材を被覆してなることを特徴とするものである。
【００１０】
本発明においては、前記フィルター材の外側に、筒状織物又はブレイドからなる保護材を被覆することが好ましい。また前記フィルター材は、前記芯材の外周に、環状織機により筒状に織成したものであることが好ましい。
【００１１】
また前記筒状織物の総繊度が、当該筒状織物１平方インチ当たり、１３００００〜２０００００デシテックス相当であることが好ましい。
【発明の効果】
【００１２】
而して本発明によれば、芯材の外側に筒状織物よりなるフィルター材が被覆されているので、当該フィルター材が水中の小石、砂粒、泥などをろ過し、これらの砂粒などがロープのストランド中に入り込むことがなく、これらの砂粒などが繊維を切断したりして、さほど大きくない荷重によって不用意にロープが切断されるような事態を、有効に防止することができる。
【００１３】
また本発明におけるフィルター材は、たて糸とよこ糸とを筒状に織成してなる筒状織物からなっているので、当該筒状織物は芯材に較べて十分に軽く且つ柔軟であって、ほとんど重くなったり堅くなったりすることがない。
【図面の簡単な説明】
【００１４】
【図１】本発明のロープを示す一部を拡大して示した正面図
【図２】本発明のロープの横断面図
【図３】本発明の他の例のロープを示す斜視図
【発明を実施するための形態】
【００１５】
以下本発明を図面に基づいて説明する。図１及び図２は本発明のロープ１を示すものであって、２は当該ロープ１の芯材であり、３は当該芯材２の外面を覆うように形成されたフィルター材である。
【００１６】
前記芯材２は複数の糸条を撚り合わせてなるストランド４を、撚り合わせ、又は組み合わせてなっている。図１の例においては八つ打ちのクロスロープよりなっているが、十打ち、十二打ちなどの形態であっても良く、また二つ撚り、三つ撚り又は四つ撚りなどの撚りロープであっても良い。また図３に示すように、複数の糸条を引き揃えたものであってもよい。
【００１７】
本願発明のロープ１は水中において重量物を係留することを目的とするものであるから、前記芯材２を構成する糸条は、比較的強度の大きいポリエステル繊維や超高分子量ポリエチレンを使用することが好ましい。
【００１８】
そして当該芯材２の外側に形成されたフィルター材３は、図面に示されるように、環状に配置されたたて糸５と、当該たて糸５に対してスパイラルの織り込まれたよこ糸６とよりなる、筒状織物からなっている。当該筒状織物を織成するには、ホースなどを織成する環状織機により織成することができる。
【００１９】
当該筒状織物は、たて糸５及びよこ糸６として、ポリエステル繊維のスパン糸又は巻縮加工糸を使用するのが好ましい。スパン糸は毛羽が多いためにその毛羽によって、また巻縮加工糸はその巻縮によって嵩高性が増し、それによって織物の布目が塞がり易くフィルター材として適している。しかしながらたて糸５又はよこ糸６の一方については、フィラメント糸を使用することもできる。
【００２０】
而して前記たて糸５としては、２０番手のポリエステル繊維のスパン糸を６〜８本撚り合わせた糸条（１８００〜２４００デシテックス相当）を使用し、それを筒状織物の幅１インチ当たり４０〜７０本配置するのが適当である。
【００２１】
またよこ糸６としては、２０番手のポリエステル繊維のスパン糸を６〜８本撚り合わせた糸条（１８００〜２４００デシテックス相当）を使用し、それを筒状織物の長さ１インチ当たり１５〜２０本打込んで、筒状織物を織成するのが適当である。
【００２２】
本発明においては、前記筒状織物よりなるフィルター材３により、芯材２内に砂粒が侵入するのを防止するものであるから、前記筒状織物の布目がある程度混んでいることが必要である。当該筒状織物の１平方インチ当たりのたて糸５とよこ糸６との総繊度として、１３００００〜２０００００デシテックス程度が適当である。
【００２３】
また本発明においては、前記フィルター材３の外側に、さらに保護材で被覆することも好ましいことである。保護材としては、フィルター材３と同様の筒状織物であっても良く、またブレイドよりなるものであっても良い。さらに当該保護材は前記砂粒などを多少通し得るものであっても良い。
【００２４】
当該保護材で被覆することにより、フィルター材３が摩耗などにより傷付くことを防止することができ、フィルター材３による芯材２の保護機能をより確実なものとすることができる。
【００２５】
而して本発明によれば、芯材２の外側に筒状織物よりなるフィルター材３が被覆されているので、当該フィルター材３が水中の小石、砂粒、泥などをろ過し、これらの砂粒などがロープ１のストランド４中に入り込むことがない。
【００２６】
そのためこれらの砂粒などがロープ１を構成する繊維を傷つけたり切断したりすることがなく、さほど大きくない荷重によって不用意にロープが切断されるような事態を、有効に防止することができるのである。
【００２７】
また本発明におけるフィルター材３は、たて糸５とよこ糸６とを筒状に織成してなる筒状織物からなっているので、当該筒状織物は太いロープである芯材２に較べて、十分に軽く且つ柔軟であって、水浮上ロープ１としてほとんど重くなったり堅くなったりすることがない。
【００２８】
またフィルター材３が筒状織物よりなるので、ロープ１を曲げ伸ばししてもブレイドのように目ずれが生じることがなく、その組織が安定しており、前述のろ過機能が安定している。また筒状織布は環状織機により芯材２の外側に簡単に形成することができる。
【産業上の利用可能性】
【００２９】
本発明のロープは、水中における用途に適しているが、それに限定されるものではなく、陸上における砂埃対策としても極めて有用である。
【符号の説明】
【００３０】
１  ロープ
２  芯材
３  フィルター材
４  ストランド
５  たて糸
６  よこ糸
【図１】
2016033269.tif 000003
【図２】
2016033269.tif 000004
【図３】
2016033269.tif 000005